(57)【要約】【課題】回転カラーフィルタの各カラーセグメント毎に光出力を変化可能で、比較的簡単な制御で高圧放電灯によるフリッカ（ちらつき）を抑制できる高圧放電灯点灯装置を提供する。【解決手段】同期タイミング信号ＣＳ０を受けて高圧放電灯に流れる電流を回転カラーフィルタのカラーセグメント毎に制御可能とすると共に、同期タイミング信号ＣＳ０が入力されても高圧放電灯の電流方向を反転させない極性反転休止期間ｔ２，ｔ３を所定の時間ｔ１毎に挿入し、所定回数の同期タイミング信号ＣＳ０が入力されるまでは、高圧放電灯の電流方向を反転させないことで高圧放電灯によるフリッカ（ちらつき）を抑制できるように電極温度を制御する。【選択図】図１
2010102202.tif 000002
【特許請求の範囲】
【請求項１】
高圧放電灯から出力された光束を複数のカラーセグメントにより複数の色に時分割する回転カラーフィルタと、この回転カラーフィルタを通過した光束に映像信号による変調を付与する画像表示素子と、回転カラーフィルタが１回転する間に少なくとも１回は回転カラーフィルタのカラーセグメントの切替り時点と同期した同期タイミング信号を出力する手段とを備える画像表示装置の放電灯点灯装置であって、
前記同期タイミング信号を受けて高圧放電灯に供給する電力を回転カラーフィルタのカラーセグメント毎に制御可能とした電力供給手段と、
前記同期タイミング信号を受けて高圧放電灯の電流方向を反転させる手段とを備え、
前記同期タイミング信号が入力された場合でも高圧放電灯の電流方向を反転させない極性反転休止期間を所定の時間毎に挿入し、
前記極性反転休止期間は、同期タイミング信号を起点、もしくは、同期タイミング信号から所定数のカラーセグメントを経過したカラーセグメントの切替り時点を起点とし、同期タイミング信号が所定の回数入力された後、最初の同期タイミング信号を終点、もしくは、当該同期タイミング信号から所定数のカラーセグメントを経過したカラーセグメントの切替り時点を終点としたことを特徴とする高圧放電灯点灯装置。
【請求項２】
請求項１において、高圧放電灯の電流方向が正方向となる極性反転休止期間と、高圧放電灯の電流方向が負方向となる極性反転休止期間の割合が略同等であることを特徴とする高圧放電灯点灯装置。
【請求項３】
請求項１において、高圧放電灯の電流方向が正方向となる極性反転休止期間と、高圧放電灯の電流方向が負方向となる極性反転休止期間の割合が異なっていることを特徴とする高圧放電灯点灯装置。
【請求項４】
請求項１〜３のいずれかにおいて、高圧放電灯へ投入する平均電力を変更する場合、前記極性反転休止期間の長さ、及び／又は、前記極性反転休止期間を挿入する間隔を変化させることを特徴とする高圧放電灯点灯装置。
【請求項５】
請求項１〜３のいずれかにおいて、各カラーセグメント毎に高圧放電灯へ供給する電力の制御パターンを変更する場合、前記極性反転休止期間の長さ、及び／又は、前記極性反転休止期間を挿入する間隔を変化させることを特徴とする高圧放電灯点灯装置。
【請求項６】
請求項１〜５のいずれかにおいて、前記極性反転休止期間を終了して最初に高圧放電灯の電流方向を反転させるタイミングは、高圧放電灯へ供給する電力が最大となるカラーセグメントの終了時点であることを特徴とする高圧放電灯点灯装置。
【請求項７】
請求項１〜６のいずれかに記載の高圧放電灯点灯装置を備える画像表示装置。
【発明の詳細な説明】
【技術分野】
【０００１】
本発明は、高圧水銀ランプやメタルハライドランプなどの高輝度高圧放電灯（ＨＩＤランプ）を点灯させる高圧放電灯点灯装置、及びこれを用いた画像表示装置に関するものである。
【背景技術】
【０００２】
近年、プロジェクタやプロジェクションテレビ等に用いられる画像投影装置として、高圧放電灯点灯装置で点灯した高圧放電灯からの光束を回転カラーフィルタに照射してＲＧＢ等のような光の３原色に時分割して、ＤＭＤ（テキサスインスツルメンツ登録商標）と呼ばれる反射型画像表示素子を用いて画像を作成し、投影レンズを介してスクリーン上に画像を投影するＤＬＰ（テキサスインスツルメンツ登録商標）と呼ばれる方式が知られている。
【０００３】
従来の画像投影装置の概略構成を図１１に示す。高圧放電灯点灯装置４０により高圧放電灯Ｌａが点灯され、高圧放電灯Ｌａから出力された白色の光束は、レンズ３５ａにより集光され、回転カラーフィルタ３５ｃを透過した光束がレンズ３５ｂを介してＤＭＤ（テキサスインスツルメンツ登録商標）と呼ばれる反射型画像表示素子３５ｄに照射され、その反射光が投影レンズ３１を介してスクリーン（図示せず）に投影される。ここでＤＭＤ（テキサスインスツルメンツ登録商標）とは、ＣＭＯＳ半導体上に独立して動くミラーが数十万〜数百万個、敷き詰められた素子（デジタル・マイクロミラー・デバイス）であり、個々のミラーを制御することにより濃淡画像を表示できる。
【０００４】
セット側の制御回路３６は画像表示素子３５ｄに表示される映像信号の同期信号に応じて回転カラーフィルタ３５ｃを回転させる。回転カラーフィルタ３５ｃが高速で回転するにつれて、画像表示素子３５ｄに照射される光がＲ（ｒｅｄ）、Ｇ（ｇｒｅｅｎ）、Ｂ（ｂｌｕｅ）、Ｗ（ｗｈｉｔｅ）と切り替わる。この回転カラーフィルタ３５ｄの回転を検出して、同期タイミング信号ＣＳ０が高圧放電灯点灯装置４０に入力され、また、画像表示素子３５ｄにカラーセグメント毎の画像信号を与えることにより、スクリーンにカラー映像を投影することができる。
【０００５】
図１１の例では、回転カラーフィルタのＲ（ｒｅｄ），Ｇ（ｇｒｅｅｎ），Ｂ（ｂｌｕｅ）に加え、Ｗ（ｗｈｉｔｅ）を追加して明るさを向上させている。しかし、Ｗの追加により、Ｒ，Ｇ，Ｂの分解能が低下するため色彩度の性能が低くなる。それを補うためにＲ，Ｇ，Ｂ，Ｗのほかに、Ｃ（ｃｙａｎ），Ｍ（ｍａｇｅｎｔａ），Ｙ（ｙｅｌｌｏｗ）といった補色（ｓｅｃｏｎｄａｒｙ  ｃｏｌｏｒ）のカラーフィルタを使用し、補色の輝度を上げることにより色彩度を向上させるブリリアントカラー技術が採用されている。
【０００６】
また、米国特許第５９１７５５８号（特許文献１）や特開２００６−１８９４８５、特開２００６−２９３０３２、特開２００６−３４９９１２、特開２００７−４７２３４、特開２００７−７９３３０に記載されているように、ランプ電力（電流）を瞬時に増減制御することで１つの回転カラーフィルタで擬似的に複数の回転カラーフィルタを実現し、シアターや黒板やプレゼン等の各画像モードに最適な色彩で表現できるバリアブルイルミネーション技術が採用されてきている。そのため、各画像モードに最適な色彩が表現できるように、放電灯点灯装置には、回転カラーフィルタの各セグメント（カラーフィルタ）毎にランプ電力（電流）波形を瞬時に増減制御する技術が必要になってきており、各画像モードに最適な色彩を表現する電力（電流）パターンを出力する必要がある。
【０００７】
また、回転カラーフィルタの各カラーセグメントの切替るタイミングを高圧放電灯点灯装置４０が検出できるように、回転カラーフィルタが１回転するタイミングや回転カラーフィルタのカラーセグメントの切替りのタイミングと同期した同期タイミング信号が画像表示装置から出力される。それらのタイミングと、高圧放電灯へ投入する電力（電流）の極性の切替るタイミングとを合わせる必要がある。
【０００８】
一方、高圧放電灯のちらつき対策のために、従来は、特表平１０−５０１９１９、特開２００４−２８１３８１、特開２００１−２４４０８８、特開２００３−０５９６８４などのように、ランプ電流波形を変更して対応する手段が存在するが、上述のようなＤＬＰ（テキサスインスツルメンツ登録商標）方式のプロジェクタにおいては、さらには、バリアブルイルミネーション技術に対応するには、各カラーセグメント毎の電力（電流）を変化させる必要があるため、ランプ電流波形の変更によるランプのちらつき対策との両立は難しい。
【０００９】
そこで、特表２００８−５２１０４７では、回転カラーフィルタの各カラーセグメント間の光を利用しない期間（スポーク）でランプ電力（電流）を高くする手法が提案されている。この手法では、各カラーセグメント間の光を使用しない期間は極めて短い時間であるため、ちらつき対策に必要なランプ電流値は非常に大きな値になる可能性もあり、ランプのちらつき対策における設計自由度が低くなってしまう。
【００１０】
また、高圧放電灯のちらつき対策の別の手段として、特開２００６−５９７９０（特許文献２）、特開２００６−３３２０１５（特許文献３）のように、通常点灯時の周波数とは異なる周波数を挿入する方法が提案されている。これを高圧放電灯点灯装置の単体で実現してしまうと、高圧放電灯のランプ電流の極性反転と回転カラーフィルタとの同期がとれなくなるため、プロジェクタの投写画像の色彩が表現できなくなってしまう。
【００１１】
したがって、ＤＬＰ（テキサスインスツルメンツ登録商標）方式のプロジェクタにおいて、回転カラーフィルタのカラーセグメントの切替えと高圧放電灯へ投入する電力（電流）の極性反転との同期をとり、さらにバリアブルイルミネーション技術に対応し、比較的簡単な制御方法でランプのちらつきを低減可能な放電灯点灯装置が必要となる。
【特許文献１】米国特許第５９１７５５８号公報
【特許文献２】特開２００６−５９７９０号公報
【特許文献３】特開２００６−３３２０１５号公報
【特許文献４】特開２００８−１４６８３７公報
【発明の開示】
【発明が解決しようとする課題】
【００１２】
本発明は上述のような点に鑑みてなされたものであり、回転カラーフィルタの各カラーセグメント毎に光出力を変化させることが可能であり、高圧放電灯によるフリッカ（ちらつき）を抑制できる高圧放電灯点灯装置を提供することを課題とする。
【課題を解決するための手段】
【００１３】
請求項１の発明は、上記の課題を解決するために、図１１に示すように、高圧放電灯Ｌａから出力された光束を複数のカラーセグメント（Ｒ，Ｇ，Ｂ，…）により複数の色に時分割する回転カラーフィルタ３５ｃと、この回転カラーフィルタ３５ｃを通過した光束に映像信号による変調を付与する画像表示素子３５ｄと、回転カラーフィルタ３５ｃが１回転する間に少なくとも１回は回転カラーフィルタ３５ｃのカラーセグメントの切替り時点と同期した同期タイミング信号ＣＳ０を出力する手段とを備える画像表示装置の放電灯点灯装置であって、図５に示すように、前記同期タイミング信号ＣＳ０を受けて高圧放電灯Ｌａに供給する電力を回転カラーフィルタ３５ｃのカラーセグメント毎に制御可能とした電力供給手段１１と、前記同期タイミング信号ＣＳ０を受けて高圧放電灯Ｌａの電流方向を反転させる手段１２とを備え、図１〜図３に示すように、前記同期タイミング信号ＣＳ０が入力された場合でも高圧放電灯Ｌａの電流方向を反転させない極性反転休止期間ｔ２，ｔ３を所定の時間ｔ１毎に挿入し、前記極性反転休止期間ｔ２，ｔ３は、同期タイミング信号ＣＳ０を起点、もしくは、同期タイミング信号ＣＳ０から所定数のカラーセグメントを経過したカラーセグメントの切替り時点を起点とし、同期タイミング信号ＣＳ０が所定の回数入力された後、最初の同期タイミング信号ＣＳ０を終点、もしくは、当該同期タイミング信号ＣＳ０から所定数のカラーセグメントを経過したカラーセグメントの切替り時点を終点としたことを特徴とするものである。
【００１４】
請求項２の発明は、請求項１の発明において、図６に示すように、高圧放電灯の電流方向が正方向となる極性反転休止期間と、高圧放電灯の電流方向が負方向となる極性反転休止期間の割合が略同等であることを特徴とする。
【００１５】
請求項３の発明は、請求項１の発明において、図７に示すように、高圧放電灯の電流方向が正方向となる極性反転休止期間と、高圧放電灯の電流方向が負方向となる極性反転休止期間の割合が異なっていることを特徴とする。
【００１６】
請求項４の発明は、請求項１〜３の発明において、図８に示すように、高圧放電灯へ投入する平均電力を変更する場合、前記極性反転休止期間の長さ、及び／又は、前記極性反転休止期間を挿入する間隔を変化させることを特徴とする。
【００１７】
請求項５の発明は、請求項１〜３の発明において、図９に示すように、各カラーセグメント毎に高圧放電灯へ供給する電力の制御パターンを変更する場合、前記極性反転休止期間の長さ、及び／又は、前記極性反転休止期間を挿入する間隔を変化させることを特徴とする。
【００１８】
請求項６の発明は、請求項１〜５の発明において、図３（ｂ），（ｃ）に示すように、前記極性反転休止期間を終了して最初に高圧放電灯の電流方向を反転させるタイミングは、高圧放電灯へ供給する電力が最大となるカラーセグメントの終了時点であることを特徴とする。
【００１９】
請求項７の発明は、請求項１〜６のいずれかに記載の高圧放電灯点灯装置を備える画像表示装置である（図１０、図１１）。
【発明の効果】
【００２０】
請求項１の発明によれば、同期タイミング信号を受けて高圧放電灯に供給する電力を回転カラーフィルタのカラーセグメント毎に制御可能としたことで、各画像モードに最適な色彩表現が可能となり、また、同期タイミング信号が入力されても高圧放電灯の電流方向を反転させない極性反転休止期間を所定の時間毎に挿入したことで、高圧放電灯の電極温度を上昇させて余分な突起を溶融することが可能となり、高圧放電灯のちらつきを低減することができる。また、前記極性反転休止期間は、同期タイミング信号を起点、もしくは、同期タイミング信号から所定数のカラーセグメントを経過したカラーセグメントの切替り時点を起点とし、同期タイミング信号が所定の回数入力された後、最初の同期タイミング信号を終点、もしくは、当該同期タイミング信号から所定数のカラーセグメントを経過したカラーセグメントの切替り時点を終点としたので、極性反転休止期間を比較的任意に時間設定できるため、高圧放電灯に適した値が設定可能となる。
【００２１】
請求項２の発明によれば、高圧放電灯の電流方向が正方向となる極性反転休止期間と、高圧放電灯の電流方向が負方向となる極性反転休止期間の割合が略同等であるため、高圧放電灯の両電極が同程度消耗していく。これにより、高圧放電灯を長く使用することができる。
【００２２】
請求項３の発明によれば、高圧放電灯の電流方向が正方向となる極性反転休止期間と、高圧放電灯の電流方向が負方向となる極性反転休止期間の割合が異なっているので、例えば高圧放電灯の空冷条件や反射鏡等により両電極の温度がアンバランスになる場合であっても、両電極の温度バランスを均等にすることができるため、高圧放電灯の両電極が同程度消耗していく。これにより、高圧放電灯を長く使用することができる。
【００２３】
請求項４の発明によれば、高圧放電灯へ投入する平均電力を変更する場合、極性反転休止期間の長さ、及び／又は、前記極性反転休止期間を挿入する間隔を変化させるので、高圧放電灯へ投入する各平均電力に適合した高圧放電灯のちらつきを低減できる条件に設定することができる。
【００２４】
請求項５の発明によれば、各カラーセグメント毎に高圧放電灯へ供給する電力の制御パターンを変更する場合、極性反転休止期間の長さ、及び／又は、前記極性反転休止期間を挿入する間隔を変化させるので、各画像モードでの高圧放電灯へ投入する電力の制御パターンに適合した高圧放電灯のちらつきを低減できる条件に設定することができる。
【００２５】
請求項６の発明によれば、極性反転休止期間を終了して最初に高圧放電灯の電流方向を反転させるタイミングは、高圧放電灯へ供給する電力が最大となるカラーセグメントの終了時点としたので、高圧放電灯の電極温度を上昇させるための設計の自由度が増すため、高圧放電灯のちらつきをより低減できる条件に設定することができる。
【００２６】
請求項７の発明によれば、各画像モードに最適な色彩で表現できるバリアブルイルミネーション技術を採用でき、しかも高圧放電灯によるちらつきの少ない画像表示装置を提供できる。
【発明を実施するための最良の形態】
【００２７】
（実施形態１）
本発明の高圧放電灯点灯装置は、図１〜図３に示すように、高圧放電灯へのランプ電流を回転カラーフィルタの各カラーセグメント毎に瞬時に切替えることが可能であり、通常は、（ａ）のように、画像表示装置から送信される回転カラーフィルタのセグメントの切替りのタイミングと同期した同期タイミング信号ＣＳ０により高圧放電灯の電流方向を反転させているが、所定の時間ｔ１毎に、（ｂ），（ｃ）のように、同期タイミング信号ＣＳ０が入力されても高圧放電灯の電流方向を反転させない極性反転休止期間ｔ２，ｔ３を設けている。
【００２８】
その極性反転休止期間ｔ２，ｔ３は、図１、図３に示すように、同期タイミング信号ＣＳ０を起点とし、もしくは、図２に示すように、同期タイミング信号ＣＳ０から所定数のカラーセグメントを経過したカラーセグメントの切替り時点を起点とし、同期タイミング信号ＣＳ０が所定の回数入力された後、図１に示すように、最初の同期タイミング信号ＣＳ０を終点、もしくは、図２、図３に示すように、当該同期タイミング信号ＣＳ０から所定数のカラーセグメントを経過したカラーセグメントの切替り時点を終点とする。
【００２９】
本発明の制御を実施するための高圧放電灯点灯装置の回路図を図５に示す。この点灯装置は、降圧チョッパ回路１１と極性反転回路１２を組み合わせたものである。電源回路Ｅから出力される直流電圧は、降圧チョッパ回路１１により適正な電圧に降圧され、極性反転回路１２により矩形波交流電圧に変換される。極性反転回路１２の出力には、コンデンサＣ２とインダクタＬ２で構成された始動用の共振回路１３が接続されており、コンデンサＣ２の両端に放電灯Ｌａが接続されている。
【００３０】
電源回路Ｅは、例えば商用交流電源を整流する整流手段と、力率改善及び平滑用の昇圧チョッパ回路よりなり、例えば数百Ｖの直流電圧を出力する。
【００３１】
降圧チョッパ回路１１は、高周波でスイッチングされるスイッチング素子Ｑ１と、エネルギー蓄積用のインダクタＬ１と、回生電流通電用のダイオードＤ１と、平滑用のコンデンサＣ１と、電流検出用の抵抗Ｒ１で構成されており、スイッチング素子Ｑ１のパルス幅を可変制御することにより、電源回路Ｅから出力される直流電圧を降圧せしめて、コンデンサＣ１に充電する。
【００３２】
極性反転回路１２は、コンデンサＣ１の両端に並列接続されたスイッチング素子Ｑ２，Ｑ３の直列回路と、スイッチング素子Ｑ４，Ｑ５の直列回路よりなるフルブリッジインバータ回路であり、スイッチング素子Ｑ２，Ｑ５がＯＮ、スイッチング素子Ｑ３，Ｑ４がＯＦＦの状態と、スイッチング素子Ｑ２，Ｑ５がＯＦＦ、スイッチング素子Ｑ３，Ｑ４がＯＮの状態とが交互に切り換わることにより、コンデンサＣ１の直流電圧の極性を反転せしめて負荷回路に矩形波交流電圧を供給するものである。
【００３３】
負荷回路は、コンデンサＣ２とインダクタＬ２で構成された共振回路１３と、コンデンサＣ２の両端に並列接続された放電灯Ｌａよりなる。放電灯Ｌａは、高圧水銀ランプやメタルハライドランプなどの高輝度高圧放電灯（ＨＩＤランプ）である。
【００３４】
制御回路１４は、放電灯Ｌａの点灯を開始する場合には、対角位置に配置されたスイッチング素子Ｑ２，Ｑ５と、スイッチング素子Ｑ３，Ｑ４とを交互にオン・オフすることによって、共振回路１３の両端に数１０ｋＨｚ〜数１００ｋＨｚの高周波電圧を印加する。この高周波電圧を共振回路１３の共振作用により昇圧させ、コンデンサＣ２に高圧の共振電圧を発生させ、放電灯Ｌａに印加することで、絶縁破壊を起こし、放電灯Ｌａを点灯させる。そして、アーク放電へ移行させるために暫く（数百ｍｓｅｃ〜数十秒程度）は高周波で動作させ、その後、放電灯Ｌａに数１０Ｈｚ〜数１００Ｈｚの低周波の矩形波電圧を印加し、点灯を維持する。
【００３５】
なお、図示はしないが、共振回路１３とは別に、放電灯Ｌａを始動または再始動させるための高電圧パルスを発生させるイグナイタ回路を併用しても良い。イグナイタ回路は、極性反転回路１２が高周波動作時に起動するようにしても良いし、最初から極性反転回路１２を低周波動作させてイグナイタ回路の高電圧パルスで放電灯Ｌａを絶縁破壊させて点灯させる構成としても良い。
【００３６】
電圧検出回路１５は、降圧チョッパ回路１１の出力電圧を抵抗Ｒ２，Ｒ３の直列回路により分圧して検出している。電圧検出回路１５の検出出力は、制御回路１４のマイコン２０に入力されて、Ａ／Ｄ変換器２１によりデジタル値に変換される。マイコン２０の電力制御用基準信号生成処理部２２では、ランプ電圧検出回路１５で検出した電圧値に応じて、カラーセグメント毎のランプ電力制御量をデータテーブル２３を参照して演算し、Ｄ／Ａ変換器１６で電力指令電圧Ｉｐに変換する。Ｄ／Ａ変換器１６は例えばＲ−２Ｒ抵抗ラダー回路などを用いる。ＰＷＭ制御回路１７では、電流検出抵抗Ｒ１で検出したチョッパ電流の検出電圧と電力指令電圧Ｉｐを比較することでチョッパ制御を行い、ランプ電力（ランプ電流）を制御する。
【００３７】
制御回路１４のマイコン２０としては、例えば、（株）ルネサステクノロジのＲ８Ｃ／ＴｉｎｙシリーズのＲ８Ｃ／２６，２７グループやＲ８Ｃ／２Ｅ，２Ｆなどを用いる。画像表示装置からの同期タイミング信号ＣＳ０のレベル変化の検出および時間の測定は、マイコン２０のタイマ機能のパルス周期測定モード等を用いて実現する。図５では、マイコン２０の機能をブロック化して示してある。
【００３８】
コマンド判別処理部２５では、フォトカプラＰＣ１と抵抗Ｒ４よりなるコマンド信号受信回路の出力信号を受けて、画像表示装置からコマンド信号ＣＳ１を受信し、画像表示装置側から指示された平均電力と電力（電流）パターンを判別する。コマンド信号ＣＳ１は高圧放電灯のＯＮ／ＯＦＦ指令信号を兼ねている。放電灯Ｌａへ投入する平均電力と電力（電流）パターンの指示は、例えば、ＵＡＲＴ通信等により行う。通信コマンド等を画像表示装置側と整合しておき、そのコマンドを受信することにより、放電灯点灯装置はそのコマンドに適合した平均電力と電力（電流）パターンで動作する。各コマンドに適合した平均電力と電力（電流）パターンのデータは、あらかじめデータテーブル２３に格納しておくものとする。
【００３９】
ここで、画像表示装置からの電力（電流）パターンとは、回転カラーフィルタが１回転する間のランプ電流の波形のことであり、その１回転する間に高圧放電灯へ投入する電力（電流）を極性反転する場合も含む（図１２（ｄ）等参照）。
【００４０】
データテーブル２３には、まず、高圧放電灯の始動時から安定点灯状態に至るまでの制御に用いるランプ電圧Ｖｌａに応じた電力制御量データが格納されている。また、安定点灯状態に達した後に、回転カラーフィルタの各カラーセグメント毎に、高圧放電灯に投入する電力（電流）を切り替えるために、各カラーセグメント毎の電力制御量データが、各ランプ電圧Ｖｌａ毎に設定されている。さらに、後述するように、データテーブル２３には、各セグメント時間を演算するためのデータ（回転カラーフィルタの各セグメントの角度等）やフルブリッジの極性を反転させるタイミングのデータが格納されている。
【００４１】
各セグメント時間算出処理部２６では、フォトカプラＰＣ２と抵抗Ｒ５よりなる同期タイミング信号受信回路の出力信号を受けて、画像表示装置からの同期タイミング信号ＣＳ０のレベル変化のタイミングを検出し、回転カラーフィルタの各セグメントの時間を算出する。
【００４２】
時間計測・設定処理部２４では、同期タイミング信号ＣＳ０と回転カラーフィルタの各セグメントの時間を参照して、極性反転回路１２における極性反転のタイミング制御や時間の測定を行い、フルブリッジ制御部１２ｃに対してフルブリッジ制御信号ＦＢ１，ＦＢ２を出力する。
【００４３】
ドライブ回路１２ａは、フルブリッジ制御部１２ｃからのフルブリッジ制御信号ＦＢ１’に応じて高電位側のスイッチング素子Ｑ２と低電位側のスイッチング素子Ｑ３を交互にオン・オフするように制御する。ドライブ回路１２ｂは、フルブリッジ制御部１２ｃからのフルブリッジ制御信号ＦＢ２’に応じて高電位側のスイッチング素子Ｑ４と低電位側のスイッチング素子Ｑ５を交互にオン・オフするように制御する。
【００４４】
極性反転回路１２による極性反転は、例えば、図１２（ｃ）のように同期タイミング信号ＣＳ０のレベル変化のタイミングや、図１２（ｄ）に示すように、回転カラーフィルタのセグメントの切り替りのタイミングに行う。図１２では、説明を簡単化するために、ＲＧＢの三原色の回転カラーフィルタの場合について同期信号ＣＳ０による極性反転のタイミングを示しているが、Ｗや補色（Ｃ，Ｙ等）のフィルタを含む場合も同様である。
【００４５】
各セグメントの時間は、同期タイミング信号が図１２（ａ）のようにエッジ方式にした場合、同期タイミング信号ＣＳ０の時間Ｔ１と、データテーブルに格納されているセグメント角度から各カラーセグメントの時間を算出する。また、同期タイミング信号ＣＳ０が図１２（ｂ）のように、ある１つのカラーセグメントの角度に同期した時間にした場合、その時間Ｔ２とデータテーブルに格納されているセグメント角度から各カラーセグメントの時間を算出する。このようにすることにより、回転カラーフィルタの回転速度が変化した場合にも対応できるようになる。回転カラーフィルタの回転速度は５０、６０Ｈｚを基本回転数とし、その２〜３倍程度で動作させているのが一般的である。同期タイミング信号ＣＳ０のレベル変化の検出方向は、信号波形のなまりが小さいフォトカプラのＯＮ時（フォトカプラ出力のＨ→Ｌの遷移時）で検出を行う。
【００４６】
同期タイミング信号ＣＳ０のレベル変化と極性反転タイミング並びに回転カラーフィルタのカラーセグメントの境界の関係を図４に例示する。図４（ａ），（ａ’）は、回転カラーフィルタが１回転する間に、同期タイミング信号ＣＳ０が１回入力されている例である。図４（ｂ）は、回転カラーフィルタが１回転する間に、同期タイミング信号ＣＳ０が２回入力されている例である。
【００４７】
高圧放電灯の電流方向を反転させないようにする起点のタイミングは、図４（ａ），（ｂ）の例では同期タイミング信号ＣＳ０のレベル変化と同じタイミングである。一方、図４（ａ’）の例では同期タイミング信号ＣＳ０とは異なったタイミングであり、同期タイミング信号ＣＳ０のレベル変化後の（所定数（この例では、Ｒ，Ｙの２回）のカラーセグメント経過後）のカラーセグメントの切替りのタイミングである。同期タイミング信号ＣＳ０が入力されても高圧放電灯の電流方向を反転させない期間の起点や終点を、同期タイミング信号の入力時やカラーセグメントの切替り時点としたことで、極性反転休止期間を比較的任意に時間設定できるため、高圧放電灯に適した値が設定可能となる。
【００４８】
画像表示装置側からのコマンド信号ＣＳ１により、高圧放電灯のＯＮ（点灯）が指令されると、極性反転回路１２を高周波動作させることにより、共振回路１３の共振作用により高電圧を発生させて放電灯Ｌａを絶縁破壊して始動させ、低周波動作へ移行し、その後はデータテーブル２３に設定された制御特性に従って、ランプ電圧Ｖｌａに応じてランプ電流Ｉｌａ、ランプ電力Ｗｌａを制御する。
【００４９】
始動時のランプ電流制御（ランプ電力制御）は、ランプ電圧Ｖｌａが所定値に達するまでは、ランプ電流が一定となるような定電流制御を行い、ランプ電圧Ｖｌａが所定値に達した後は、ランプ電力Ｗｌａが一定となる定電力制御を行う。
【００５０】
また、安定点灯状態に達した後のランプ電力の制御は、ランプ電圧検出回路１５で検出した電圧値に応じて、回転カラーフィルタの各カラーセグメントで必要となるランプ電力制御量をデータテーブル２３を参照して演算し、Ｄ／Ａ変換器１６で電力指令電圧Ｉｐに変換する。これにより、図１〜図３に示すように、高圧放電灯へのランプ電流を回転カラーフィルタの各カラーセグメント毎に瞬時に切替えることが可能となる。
【００５１】
ランプ電圧の検出のタイミングは、例えば、高圧放電灯への投入電力（電流）が１００％（矩形波点灯にした場合）となるセグメント内、あるいは、時間が長い（回転カラーフィルタ内に占める角度が大きい）カラーセグメント内、あるいは、高圧放電灯への投入電力（電流）が同一値で連続したセグメント内、あるいは、各画像モードで、高圧放電灯への投入電力（電流）が同一値となるセグメント内のうち、少なくともいずれか１つのタイミングで行う。
【００５２】
本実施形態の動作の詳細は、例えば図１、図２、図３のようにする。この例では、同期タイミング信号ＣＳ０は、回転カラーフィルタが１回転する度に１回、画像表示装置から送信される。同期タイミング信号ＣＳ０に対応するカラーセグメントは、この例では、Ｒとしている。回転カラーフィルタの構成は特に限定されるものではないが、図１〜図３の例では、Ｒ→Ｙ→Ｇ→Ｗ→Ｃ→Ｂの順にカラーセグメントが切替る構成となっている。
【００５３】
同期タイミング信号ＣＳ０により、高圧放電灯の電流方向を反転させる通常点灯期間は図１〜図３のｔ１であり、その期間のランプ電流波形は図１〜図３の（ａ）に示す波形である。通常点灯期間ｔ１はマイコン２０内でタイマ等により時間を算出するか、もしくは、同期タイミング信号ＣＳ０の受信回数から算出する。
【００５４】
通常点灯期間ｔ１が経過した後、同期タイミング信号ＣＳ０が入力されても高圧放電灯の電流方向を反転させない極性反転休止期間は図１〜図３のｔ２，ｔ３であり、その期間のランプ電流波形は、図１〜図３の（ｂ），（ｃ）に示す波形である。極性反転休止期間ｔ２，ｔ３はマイコン２０内でタイマ等により時間を算出するか、もしくは、同期タイミング信号ＣＳ０の受信回数から算出する。図１〜図３の例では、同期タイミング信号ＣＳ０を６回分受信する間は、高圧放電灯の電流方向を反転させないようにしており、ランプ電流の波形としては７波形分は極性反転させない。
【００５５】
極性反転休止期間の終点のタイミングは、図１では同期タイミング信号が７回目に受信された時点であり、図２では回転カラーフィルタのカラーセグメントのイエローＹとグリーンＧの切替り時点であり、図３では回転カラーフィルタのカラーセグメントのホワイトＷとシアンＣの切替り時点であり、その時点で高圧放電灯の電流方向を反転させる。
【００５６】
本実施形態によれば、画像表示装置から放電灯点灯装置へ送信される同期タイミング信号ＣＳ０は、特開２００８−１４６８３７（特許文献４）と比較して簡単な信号となる。特開２００８−１４６８３７の同期タイミング信号は、各カラーセグメントの切替るタイミングで常に同期タイミング信号が送信され、また、回転カラーフィルタの１回転を識別するために同期タイミング信号を変調するといった複雑な信号が必要で、そのため、画像表示装置および高圧放電灯の制御部は複雑な処理が必要である。
【００５７】
このように、画像表示装置から放電灯点灯装置へ送信される同期タイミング信号ＣＳ０は、特開２００８−１４６８３７と比較して簡単な信号となるため、画像表示装置の制御処理部に負担がかかることがなく、高圧放電灯装置の信号処理も容易となり、回転カラーフィルタの各カラーセグメント毎に高圧放電灯への投入電力（電流）を特表２００８−５２１０４７と比較して何の制限も無く所望の値に設定できる。特表２００８−５２１０４７では、ちらつき対策に必要なランプ電流値は非常に大きな値になる可能性もあり、ランプのちらつき対策における設計自由度が低くなる。
【００５８】
このように、投入電力（電流）を所望の値に設定できるため、各画像モードに最適な色彩表現が可能となり、なおかつ、同期タイミング信号ＣＳ０が入力されても、高圧放電灯の電流方向を反転させない期間ｔ２，ｔ３を所定の時間ｔ１毎に挿入しているため、高圧放電灯の電極温度が上昇し余分な突起を溶融することが可能となり、高圧放電灯のちらつきを低減することができる。
【００５９】
もう少し詳細な説明をすると、高圧放電灯によるちらつき（フリッカ）は、高圧放電灯を長期間使用していると、寿命が経過するにつれて電極形状が荒れた状態になり、複数の突起が生成され、高圧放電灯へ投入する電流の極性反転時に、生成された複数の突起間でアークの輝点が不定期に移動することにより発生する。この対策のために、通常は、画像表示装置から送信される回転カラーフィルタのセグメントの切替りのタイミングと同期した同期タイミング信号ＣＳ０により高圧放電灯の電流方向を反転させて電極先端の突起を形成させ、所定の時間ｔ１が経過する毎に、同期タイミング信号ＣＳ０が入力されても高圧放電灯の電流方向を反転させない極性反転休止期間ｔ２，ｔ３を設ける。その極性反転休止期間ｔ２，ｔ３では、電極先端の初期に生成された突起の周りに生成される複数の突起を発生させないように、電極の表面温度を上昇させ、余分な突起を溶融する。これにより、生成された複数の突起間でアークの輝点が不定期に移動することがなくなり、高圧放電灯によるちらつき（フリッカ）を低減できる。
【００６０】
このような構成、動作にすることにより、画像表示装置から放電灯点灯装置へ送信される同期タイミング信号ＣＳ０は簡単な信号で、各画像モードに最適な色彩表現が可能であり、なおかつ、高圧放電灯のちらつきを低減することができる。
【００６１】
（実施形態２）
本実施形態では、高圧放電灯の電流方向が正方向となる極性反転休止期間と、高圧放電灯の電流方向が負方向となる極性反転休止期間の割合が略同等であることを特徴とする。回路構成は実施形態１と同じで良い。
【００６２】
本実施形態の動作は、例えば図６のようにする。図中の縦縞期間は、同期タイミング信号ＣＳ０で高圧放電灯の電流方向を反転させる通常点灯期間である。その通常点灯期間における同期タイミング信号ＣＳ０と極性反転タイミングの関係、ランプ電流パターンの詳細については、図１〜図３の（ａ）と同じである。
【００６３】
また、図中の黒四角期間は、同期タイミング信号で高圧放電灯の電流方向を反転させない極性反転休止期間である。その極性反転休止期間における同期タイミング信号ＣＳ０と極性反転タイミングの関係、ランプ電流パターンの詳細については、図１〜図３の（ｂ），（ｃ）と同じである。
【００６４】
図６（イ）の例は、同期タイミング信号ＣＳ０で高圧放電灯の電流方向を反転させない極性反転休止期間の極性を、１回毎交互に反転した例である。
【００６５】
図６（ロ）の例は、同期タイミング信号ＣＳ０で高圧放電灯の電流方向を反転させない極性反転休止期間の極性を、所定の回数（図示された例では３回）は、同極性とした例である。
【００６６】
図６（ハ）の例は、同期タイミング信号ＣＳ０で高圧放電灯の電流方向を反転させない極性反転休止期間の極性を、同期タイミング信号ＣＳ０で高圧放電灯の電流方向を反転させる通常点灯期間に戻さずに、正負の回数が偶数回数（同等回数）となるように制御した例である。
【００６７】
図６（ニ）の例は、同期タイミング信号ＣＳ０で高圧放電灯の電流方向を反転させない極性反転休止期間の極性を、同期タイミング信号ＣＳ０で高圧放電灯の電流方向を反転させる通常点灯期間に戻さずに、正負の回数が奇数回数となるように制御した例である。
【００６８】
このような構成、動作にすることにより、高圧放電灯の電流方向が正方向となる極性反転休止期間と、高圧放電灯の電流方向が負方向となる極性反転休止期間の割合が略同等となるため、高圧放電灯の両電極が同程度消耗していく。これにより、高圧放電灯を長く使用することができる。動作パターンは、図６の例のように色々なパターンが考えられるが、各高圧放電灯に適するように設定すれば良い。
【００６９】
（実施形態３）
本実施形態では、高圧放電灯の電流方向が正方向となる極性反転休止期間と、高圧放電灯の電流方向が負方向となる極性反転休止期間の割合が異なっていることを特徴とする。回路構成は実施形態１と同じで良い。
【００７０】
本実施形態の動作は、例えば図７のようにする。図中の縦縞期間は、同期タイミング信号ＣＳ０で高圧放電灯の電流方向を反転させる通常点灯期間である。その通常点灯期間における同期タイミング信号ＣＳ０と極性反転タイミングの関係、ランプ電流パターンの詳細については、図１〜図３の（ａ）と同じである。
【００７１】
また、図中の黒四角期間は、同期タイミング信号で高圧放電灯の電流方向を反転させない極性反転休止期間である。その極性反転休止期間における同期タイミング信号ＣＳ０と極性反転タイミングの関係、ランプ電流パターンの詳細については、図１〜図３の（ｂ），（ｃ）と同じである。
【００７２】
図７（イ）の例は、同期タイミング信号で高圧放電灯の電流方向を反転させない極性反転休止期間を、極性毎に異なる期間ｔ２，ｔ３（ｔ２＞ｔ３）とした例である。
【００７３】
図７（ロ）の例は、図７（イ）の例において、極性を逆にした例である。
【００７４】
図７（ハ）の例は、同期タイミング信号で高圧放電灯の電流方向を反転させない極性反転休止期間を、１回毎の期間は同等であるが、正負の回数を異なるようにした例（正方向２回、負方向１回）である。
【００７５】
図７（ニ）の例は、図７（ハ）の例において、極性を逆にした例（正方向１回、負方向２回）である。
【００７６】
このような構成、動作にすることにより、高圧放電灯の空冷条件や反射鏡により、両電極の温度がアンバランスになる場合に、電流方向の正負の割合を調節することで、両電極の温度バランスを均等にすることができるため、高圧放電灯の両電極が同程度消耗していく。これにより、高圧放電灯を長く使用することができる。動作パターンは、図７の例のように色々なパターンが考えられるが、各高圧放電灯並びに空冷条件等に適するように設定すれば良い。
【００７７】
（実施形態４）
本実施形態では、上述の実施形態１〜３において、高圧放電灯へ投入する平均電力を変更する場合、前記極性反転休止期間の長さ、及び／又は、前記極性反転休止期間を挿入する間隔（通常点灯期間ｔ１の長さ）を変化させることを特徴とする。回路構成は実施形態１と同じで良い。
【００７８】
本実施形態の動作は、例えば図８のようにする。図中の縦縞期間は、同期タイミング信号ＣＳ０で高圧放電灯の電流方向を反転させる通常点灯期間である。その通常点灯期間における同期タイミング信号ＣＳ０と極性反転タイミングの関係、ランプ電流パターンの詳細については、図１〜図３の（ａ）と同じである。
【００７９】
また、図中の黒四角期間は、同期タイミング信号で高圧放電灯の電流方向を反転させない極性反転休止期間である。その極性反転休止期間における同期タイミング信号ＣＳ０と極性反転タイミングの関係、ランプ電流パターンの詳細については、図１〜図３の（ｂ），（ｃ）と同じである。
【００８０】
この例では、平均電力Ｐ１＞平均電力Ｐ２としている。ランプ電流の縦軸は振幅（概略の包絡線）を表しており、平均電力Ｐ２の期間では、平均電力Ｐ１の期間に比べると、ランプ電流の振幅が低くなるように制御されている。
【００８１】
図８（イ）の例は、高圧放電灯に投入する平均電力を切替えた場合、同期タイミング信号ＣＳ０で高圧放電灯の電流方向を反転させない極性反転休止期間の長さは（ｔ２のまま）変更せず、同期タイミング信号で高圧放電灯の電流方向を反転させる通常点灯期間の長さを、ｔ１→ｔ１’，ｔ１’→ｔ１のように変更した例である。つまり、平均電力Ｐ１では通常点灯期間の長さがｔ１であるのに対して、平均電力Ｐ２（＜Ｐ１）では通常点灯期間の長さをｔ１’（＜ｔ１）となるように制御している。
【００８２】
図８（ロ）の例は、高圧放電灯に投入する平均電力を切替えた場合、同期タイミング信号ＣＳ０で高圧放電灯の電流方向を反転させる通常点灯期間の長さは（ｔ１のまま）変更せず、同期タイミング信号で高圧放電灯の電流方向を反転させない極性反転休止期間の長さを、ｔ２→ｔ２’，ｔ２’→ｔ２のように変更した例である。つまり、平均電力Ｐ１では極性反転休止期間の長さがｔ２であるのに対して、平均電力Ｐ２（＜Ｐ１）では極性反転休止期間の長さをｔ２’（＞ｔ２）となるように制御している。
【００８３】
図８（ハ）の例は、高圧放電灯に投入する平均電力を切替えた場合、同期タイミング信号ＣＳ０で高圧放電灯の電流方向を反転させる通常点灯期間の長さを、ｔ１→ｔ１’，ｔ１’→ｔ１のように変更し、なおかつ、同期タイミング信号ＣＳ０で高圧放電灯の電流方向を反転させない極性反転休止期間の長さを、ｔ２→ｔ２’，ｔ２’→ｔ２のように変更した例である。つまり、平均電力Ｐ１では通常点灯期間の長さがｔ１、極性反転休止期間の長さがｔ２であるのに対して、平均電力Ｐ２（＜Ｐ１）では通常点灯期間の長さをｔ１’（＜ｔ１）、極性反転休止期間の長さをｔ２’（＞ｔ２）となるように制御している。
【００８４】
このような構成、動作にすることにより、高圧放電灯へ投入する各平均電力に適合した高圧放電灯のちらつきを低減できる条件に設定することができる。動作パターンは、色々なパターンが考えられるが、各高圧放電灯に適するように設定すれば良い。ランプ電力値もこの例では２種類としているが、３種類以上の複数の電力に切り替える場合も同様にする。
【００８５】
（実施形態５）
本実施形態では、上述の実施形態１〜３において、各カラーセグメント毎に高圧放電灯へ供給する電力の制御パターンを変更する場合、前記極性反転休止期間の長さ、及び／又は、前記極性反転休止期間を挿入する間隔（通常点灯期間ｔ１の長さ）を変化させることを特徴とする。回路構成は実施形態１と同じで良い。
【００８６】
本実施形態の動作は、例えば図９のようにする。この例では、図１〜図３に例示したランプ電流波形パターン１のほかに、図９（ｄ），（ｅ）に例示したランプ電流波形パターン２を切り替えて利用可能としている。
【００８７】
図中の縦縞期間は、同期タイミング信号ＣＳ０で高圧放電灯の電流方向を反転させる通常点灯期間である。その通常点灯期間における同期タイミング信号ＣＳ０と極性反転タイミングの関係、ランプ電流パターンの詳細については、図１〜図３の（ａ）と同じである。
【００８８】
また、図中の斜め縞の期間（ｄ）も、同期タイミング信号ＣＳ０で高圧放電灯の電流方向を反転させる通常点灯期間である。その通常点灯期間（ｄ）における同期タイミング信号ＣＳ０と極性反転タイミングの関係、ランプ電流パターンの詳細については、図９の（ｄ）に示す通りである。
【００８９】
また、図中の黒四角期間は、同期タイミング信号で高圧放電灯の電流方向を反転させない極性反転休止期間である。その極性反転休止期間における同期タイミング信号ＣＳ０と極性反転タイミングの関係、ランプ電流パターンの詳細については、図１〜図３の（ｂ），（ｃ）と同じである。
【００９０】
さらに、図中の斜め縞の期間（ｅ）も、同期タイミング信号で高圧放電灯の電流方向を反転させない極性反転休止期間である。その極性反転休止期間（ｅ）における同期タイミング信号ＣＳ０と極性反転タイミングの関係、ランプ電流パターンの詳細については、図９の（ｅ）に示す通りである。
【００９１】
図９（イ）の例は、高圧放電灯に投入する電流（電力）パターンを変更した場合、同期タイミング信号ＣＳ０で高圧放電灯の電流方向を反転させない極性反転休止期間の長さは（ｔ２のまま）変更せず、同期タイミング信号ＣＳ０で高圧放電灯の電流方向を反転させる通常点灯期間の長さを、ｔ１→ｔ１’，ｔ１’→ｔ１のように変更した例である。
【００９２】
図９（ロ）の例は、高圧放電灯に投入する電流（電力）パターンを変更した場合、同期タイミング信号ＣＳ０で高圧放電灯の電流方向を反転させる通常点灯期間の長さは（ｔ１のまま）変更せず、同期タイミング信号ＣＳ０で高圧放電灯の電流方向を反転させない極性反転休止期間の長さを、ｔ２→ｔ２’，ｔ２’→ｔ２のように変更した例である。
【００９３】
図９（ハ）の例は、高圧放電灯に投入する電流（電力）パターンを変更した場合、同期タイミング信号ＣＳ０で高圧放電灯の電流方向を反転させる通常点灯期間の長さを、ｔ１→ｔ１’，ｔ１’→ｔ１のように変更し、なおかつ、同期タイミング信号ＣＳ０で高圧放電灯の電流方向を反転させない極性反転休止期間の長さを、ｔ２→ｔ２’，ｔ２’→ｔ２のように変更した例である。
【００９４】
このような構成、動作にすることにより、各画像モードでの高圧放電灯へ投入する電力（電流）のパターンに適合した高圧放電灯のちらつきを低減できる条件に設定することができる。動作パターンは、上記の例のように色々なパターンが考えられるが、各高圧放電灯に適するように設定すれば良い。ランプ電流波形パターンもこの例では２種類としているが、３種類以上の複数のランプ電流波形パターンの場合も同様にする。
【００９５】
（実施形態６）
本実施形態では、上述の実施形態１〜５において、前記極性反転休止期間を終了して最初に高圧放電灯の電流方向を反転させるタイミングは、高圧放電灯へ供給する電力が最大となるカラーセグメントの終了時点であることを特徴とする。回路構成は実施形態１と同じで良い。
【００９６】
本実施形態の動作は、例えば図３、図９のようにする。同期タイミング信号で高圧放電灯の電流方向を反転させない極性反転休止期間の終了点を、図３の（ｂ），（ｃ）や図９の（ｅ）下段のランプ電流波形のように、各ランプ電流波形パターンの中で、最も大きい電力（電流）を投入しているセグメント、この例ではホワイト（Ｗ）の終了時にする。終了時の対象セグメントは、各ランプ電流波形パターンのデータテーブルの一つのデータとして格納しておけば良い。
【００９７】
このような構成、動作にすることにより、高圧放電灯の電極温度を上昇させるための設計の自由度が増すため、より高圧放電灯のちらつきを低減できる条件に設定することができる。
【００９８】
（実施形態７）
上述の各実施形態の高圧放電灯点灯装置はプロジェクタの光源である高圧放電灯の点灯に用いられる。図１０はプロジェクタの内部構成を示す概略図である。図中、３１は投射レンズ、３２は電源部、３３ａ、３３ｂ、３３ｃは冷却用ファン、３４は外部信号入力部、３５は光学系、３６はメイン制御基板、４０は放電灯点灯装置、Ｌａは放電灯である。破線で示した枠内にメイン制御基板が実装されている。光学系３５の途中には、放電灯Ｌａからの光を透過または反射する画像表示手段（透過型液晶表示素子または反射型画像表示素子）が設けられており、この画像表示手段を介する透過光または反射光をスクリーンに投射するように光学系３５が設計されている。このように、放電灯点灯装置４０は放電灯Ｌａと共にプロジェクタ３０の内部に実装されている。本発明の放電灯点灯装置を採用することにより、ランプによるちらつき（フリッカ）を低減することができる。
【００９９】
なお、リアプロジェクションテレビのように、プロジェクタとスクリーンを一体化した画像表示装置に本発明の高圧放電灯点灯装置を適用しても良い。
【図面の簡単な説明】
【０１００】
【図１】本発明の実施形態１の一制御例を示す動作説明図である。
【図２】本発明の実施形態１の他の制御例を示す動作説明図である。
【図３】本発明の実施形態１の別の制御例を示す動作説明図である。
【図４】本発明の実施形態１の同期タイミング信号と極性反転タイミングを示す動作説明図である。
【図５】本発明の実施形態１の回路構成を示す回路図である。
【図６】本発明の実施形態２の動作説明図である。
【図７】本発明の実施形態３の動作説明図である。
【図８】本発明の実施形態４の動作説明図である。
【図９】本発明の実施形態５の動作説明図である。
【図１０】本発明の高圧放電灯点灯装置を搭載した画像表示装置の概略構成図である。
【図１１】回転カラーフィルタを用いた画像表示装置の概略構成図である。
【図１２】同期タイミング信号とランプ電流の関係を示す説明図である。
【符号の説明】
【０１０１】
Ｅ      直流電源回路
１１    降圧チョッパ回路
１２    極性反転回路
１４    制御回路
Ｌａ    高圧放電灯
ＣＳ０  同期タイミング信号
３５ｃ  回転カラーフィルタ
【図１】
2010102202.tif 000003
【図２】
2010102202.tif 000004
【図３】
2010102202.tif 000005
【図４】
2010102202.tif 000006
【図５】
2010102202.tif 000007
【図６】
2010102202.tif 000008
【図７】
2010102202.tif 000009
【図８】
2010102202.tif 000010
【図９】
2010102202.tif 000011
【図１０】
2010102202.tif 000012
【図１１】
2010102202.tif 000013
【図１２】
2010102202.tif 000014